(57)【特許請求の範囲】
【請求項１】
濃縮界面活性剤組成物であって、
前記濃縮界面活性剤組成物の７０重量％〜９０重量％の界面活性剤系であって、前記界面活性剤系は５０％〜１００％のアニオン性アルキルアルコキシル化サルフェート界面活性剤を含む、界面活性剤系と、
前記濃縮界面活性剤組成物の０．１重量％〜２５重量％の、Ｎ，Ｎ，Ｎ’，Ｎ’−テトラ（２−ヒドロキシエチル）エチレンジアミン、アルコキシル化ポリアルキレンイミン及びこれらの混合物からなる群から選択されるレオロジー改質剤であって、前記アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ1ＰＯｙＥＯｘ2）トリブロックコポリマー［式中、ｘ1及びｘ2の各々は２〜１４０の範囲内であり、ｙは１５〜７０の範囲である。］、及びこれらの混合物を有する、レオロジー改質剤と、
前記濃縮界面活性剤組成物の５重量％以下の非アミノ官能性有機溶媒と、
水と、
を含み、
前記濃縮界面活性剤組成物は、洗剤補助剤と組み合わせることにより、洗剤組成物の８重量％〜５０重量％の前記界面活性剤系を含む洗剤組成物を製造するために用いられる、濃縮界面活性剤組成物。
【請求項２】
前記アルコキシル化ポリアルキレンイミンが、アルコキシル化窒素１つ当たり平均して、１〜５０個のエトキシレート（ＥＯ）基及び０〜５個のプロポキシレート（ＰＯ）基を含む、請求項１に記載の濃縮界面活性剤組成物。
【請求項３】
前記アルコキシル化ポリアルキレンイミンが、アルコキシル化窒素１つ当たり平均して、１〜５０個のエトキシレート（ＥＯ）基を含み、プロポキシレート（ＰＯ）基を含まない、請求項１に記載の濃縮界面活性剤組成物。
【請求項４】
前記アルコキシル化ポリアルキレンイミンが、アルコキシル化窒素１つ当たり平均して、１０〜３０個のエトキシレート（ＥＯ）基を含む、請求項１〜３のいずれか一項に記載の濃縮界面活性剤組成物。
【請求項５】
前記アルコキシル化ポリアルキレンイミンが、アルコキシル化窒素１つ当たり平均して、１５〜２５個のエトキシレート（ＥＯ）基を含む、請求項１〜４のいずれか一項に記載の濃縮界面活性剤組成物。
【請求項６】
前記アルコキシル化ポリアルキレンイミンが、アルコキシル化ポリエチレンイミン（ＰＥＩ）であり、前記アルコキシル化ＰＥＩが、エトキシル化前に決定したときに、４００〜１０００の重量平均分子量を有するポリエチレンイミン主鎖を含む、請求項１〜５のいずれか一項に記載の濃縮界面活性剤組成物。
【請求項７】
前記レオロジー改質剤が、前記濃縮界面活性剤組成物の１重量％〜１５重量％の濃度で存在する、請求項１〜６のいずれか一項に記載の濃縮界面活性剤組成物。
【請求項８】
前記アルキルアルコキシル化サルフェート界面活性剤が、アルキルエトキシル化サルフェート界面活性剤である、請求項１〜７のいずれか一項に記載の濃縮界面活性剤組成物。
【請求項９】
前記アルキルエトキシル化サルフェート界面活性剤が、１〜３．５の平均エトキシル化度を有する、請求項８に記載の濃縮界面活性剤組成物。
【請求項１０】
前記アルキルアルコキシル化サルフェート界面活性剤が、１０〜１６個の炭素原子の平均アルキル鎖長を有する、請求項１〜９のいずれか一項に記載の濃縮界面活性剤組成物。
【請求項１１】
前記濃縮界面活性剤組成物が、前記濃縮界面活性剤組成物の７５重量％〜８５重量％の前記界面活性剤系を含む、請求項１〜１０のいずれか一項に記載の濃縮界面活性剤組成物。
【請求項１２】
前記濃縮界面活性剤組成物が、前記濃縮界面活性剤組成物の３重量％未満の前記非アミノ官能性有機溶媒を含む、請求項１〜１１のいずれか一項に記載の濃縮界面活性剤組成物。
【請求項１３】
前記有機溶媒が、一価アルコール、二価アルコール、ポリアルキレングリコール、多価アルコール、アルコキシル化グリセリン、アルコキシル化ジオール、及びこれらの組み合わせからなる群から選択される、請求項１〜１２のいずれか一項に記載の濃縮界面活性剤組成物。
【請求項１４】
前記有機溶媒系が、グリセリン、エタノール、プロパンジオール、ジエチレングリコール、ジプロピレングリコール、ポリアルキレングリコール、ブタンジオール、及びこれらの組み合わせからなる群から選択される溶媒を含む、請求項１〜１３のいずれか一項に記載の濃縮界面活性剤組成物。
【請求項１５】
前記濃縮界面活性剤組成物が、本明細書に記載の剪断粘度試験方法によって決定して、１０００ｓ-1及び６０℃で測定したとき、３，０００ｃｐｓ未満、又は１００〜２，０００ｃｐｓ、又は３００〜１，５００ｃｐｓ、又は４００〜１，０００ｃｐｓの粘度を有する、請求項１〜１４のいずれか一項に記載の濃縮界面活性剤組成物。
【請求項１６】
前記界面活性剤系が、前記界面活性剤系の１重量％〜５０重量％のアニオン性スルホン化界面活性剤を更に含む、請求項１〜１５のいずれか一項に記載の濃縮界面活性剤組成物。
【発明の詳細な説明】
【技術分野】
【０００１】
本開示は、アルキルアルコキシル化サルフェート界面活性剤及びレオロジー改質剤を含む、濃縮界面活性剤組成物、並びにこのような組成物の製造プロセスに関する。本開示は更に、このような濃縮界面活性剤組成物から製造された洗剤組成物、及びこのような洗剤組成物の製造プロセスに関する。
【背景技術】
【０００２】
濃縮界面活性剤組成物は、洗濯用又は食器用洗剤組成物などの洗剤組成物を製造するのに有用である。濃縮界面活性剤組成物は高い活性を有するため、比較的効率的に移送することができる。更にまた、濃縮界面活性剤組成物を組み合わせて、他の洗剤成分又はキャリアで希釈し、液体製品中で所望の活性の濃度とすることができる。加えて、このような濃縮界面活性剤組成物を他の洗剤成分と混合し、最低限乾燥することで、固形又は半固形の形態を、粉末又は他の固形投与形態の製品に形成することができる。
【０００３】
しかし、濃縮界面活性剤組成物、特にアニオン性アルキルアルコキシル化サルフェート界面活性剤を高い割合で含有するものにもまた、粘度及び／又は安定性の課題が提示される場合はある。このような組成物の粘度は比較的高い場合があり、これにより、組成物を、例えば軌道車又は貯蔵タンクから製造ラインまで圧送又は排出することが困難になる。組成物はまた、相分離にも悩まされる場合があり、最終製品におけるムラ及び／又は美観の問題をもたらす場合がある。水で希釈しても、アニオン性アルキルアルコキシル化サルフェート界面活性剤を含む濃縮組成物は、非常に粘稠な六方相を形成する場合があり、処理は非常に困難になる場合がある。
【０００４】
粘度及び／又は安定性の問題点に対処するために、有機溶媒を濃縮界面活性剤組成物に添加することがある。例えば、高濃度界面活性剤組成物の製造、処理、及び使用の際の相挙動に関する問題を軽減するために、比較的低分子量（例えば、４０００）の低分子量ポリエチレングリコール（ＰＥＧ）が昔から使用されてきた。しかし、有機溶媒は他の機能をほとんど有しないものであり、最終製品において性能の効果はあまり得られないままコスト増となる場合がある。
【発明の概要】
【発明が解決しようとする課題】
【０００５】
比較的高い活性濃度、限定された溶媒濃度、並びに望ましい粘度及び／又は相安定性を有する、改善された濃縮界面活性剤組成物が必要とされている。
【課題を解決するための手段】
【０００６】
本開示は、濃縮界面活性剤組成物であって、組成物の約７０重量％〜約９０重量％の界面活性剤系であって、界面活性剤系は界面活性剤系の約５０重量％〜約１００重量％のアニオン性アルキルアルコキシル化サルフェート界面活性剤を含む、界面活性剤系と；組成物の約０．１重量％〜約２５重量％の、アルコキシル化アミン、好ましくはアルコキシル化ポリアミン、より好ましくは四級化又は非四級化アルコキシル化ポリエチレンイミンからなる群から選択されるレオロジー改質剤であって、当該アルコキシル化ポリアルキレンイミンが、その中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤と；組成物の５重量％以下の非アミノ官能性有機溶媒と；水と、を含む、濃縮界面活性剤組成物に関する。
【０００７】
本開示はまた、本明細書に記載の濃縮界面活性剤組成物及び洗剤補助剤を含む、洗剤組成物にも関する。
【０００８】
本開示はまた、濃縮界面活性剤組成物の製造プロセスであって、アニオン性アルキルアルコキシル化サルフェート界面活性剤、任意選択的にアニオン性スルホン化界面活性剤、アルコキシル化アミン、好ましくは、アルコキシル化ポリアミン、より好ましくは四級化又は非四級化アルコキシル化ポリエチレンイミンからなる群から選択されるレオロジー改質剤であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤、任意選択的に非アミノ官能性有機溶媒、及び水、を準備するステップと、濃縮界面活性剤組成物を形成するために、成分を以下の割合にて、すなわち、界面活性剤系を形成するのに十分な量のアニオン性アルキルアルコキシル化サルフェート界面活性剤及び任意選択的にアニオン性スルホン化界面活性剤であって、界面活性剤系が組成物の約７０重量％〜約９０重量％の量で存在し、アニオン性アルキルアルコキシル化サルフェート界面活性剤が、界面活性剤系の約５０重量％〜約１００重量％の濃度で存在するもの；組成物の約０．１重量％〜約２５重量％のレオロジー改質剤；５％以下の非アミノ官能性有機溶媒；及び水、という割合にて組み合わせるステップと、を含む、濃縮界面活性剤組成物の製造プロセスにも関する。
【０００９】
本開示はまた、洗剤組成物の製造プロセスであって、本明細書に記載の濃縮界面活性剤組成物を準備するステップと、洗剤組成物を形成するために、濃縮界面活性剤組成物を洗剤補助剤と組み合わるステップと、を含む、洗剤組成物の製造プロセスにも関する。
【００１０】
本開示はまた、アルコキシル化アミン、好ましくはアルコキシル化ポリアミン、より好ましくは四級化又は非四級化アルコキシル化ポリエチレンイミンからなる群から選択されるレオロジー改質剤の、濃縮界面活性剤組成物の粘度を低下させるための使用であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有し；界面活性剤系は、約５０％〜約１００％のアニオン性アルキルアルコキシル化サルフェート界面活性剤を含む、レオロジー改質剤の使用にも関する。
【発明を実施するための形態】
【００１１】
本開示は、アルキルエトキシル化サルフェート界面活性剤（「ＡＥＳ」）などの比較的高濃度のアルキルアルコキシル化サルフェート界面活性剤を含有する濃縮界面活性剤組成物に関する。
【００１２】
驚くべきことに、アルコキシル化アミン、好ましくはアルコキシル化ポリアミン、より好ましくは四級化又は非四級化アルコキシル化ポリエチレンイミンからなる群から選択されるレオロジー改質剤であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤を濃縮組成物に添加することで、粘度及び／又は安定性の効果を得ることができ、これにより、有機溶媒の濃度を低下させることが可能になることが見出された。このようなポリマーは、一般に、ＡＥＳと組み合わせて洗濯洗剤などの最終製品に使用され、有機溶媒が与える利点より大きな、洗浄効果などの性能利点が得られる。濃縮組成物を入れるのは、製造プロセスにおいて比較的上流であってもよく、これらのポリマーにより、配合余地を犠牲にすることなく、又は不必要なコストを費やすことなく、最終製品の活性濃度を比較的高いままにしておくことが可能になる。
【００１３】
本開示の濃縮界面活性剤組成物の成分及び特性は、以下に、より詳細に記載されている。
【００１４】
本明細書で使用するとき、特許請求の範囲で使用されるときの「ａ」及び「ａｎ」という冠詞は、特許請求又は記載されているもののうちの１つ又は２つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１５】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は、好ましくは、分析的に検出可能な濃度で存在しないことを意味する。これは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％の濃度で存在してもよい。
【００１６】
本明細書で使用するとき、「布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含むが、これらに限定されない。かかる組成物を、洗濯前処理剤、洗濯後処理剤として使用してもよく、あるいは洗濯動作のすすぎ又は洗浄サイクル中に加えてもよい。
【００１７】
酸形態を有し得る界面活性剤に関して本明細書で使用するとき、「中和された」とは、界面活性剤がナトリウム塩などの塩形態になっていることを意味する。酸形態を有し得る界面活性剤に関して本明細書で使用するとき、「予め中和された」とは、界面活性剤が、開示された組成物の少なくとも１つの他の成分と組み合わされる前に、塩形態になっていることを意味する。このような（予め）中和された界面活性剤の１０％水溶液におけるｐＨは、約７以上になることがある。
【００１８】
本明細書で使用するとき、「等方性」とは、透明な混合物（視認できる濁り及び／又は分散粒子を有しない）であり、均一の透明な外観を有するものを意味する。例えば、本開示の組成物は、染料及び／又は乳白剤の非存在下で、脱イオン水をブランクとして使用して、Ｂｅｃｋｍａｎ  ＤＵ分光光度計を用い、標準１０ｍｍ光路長キュベットにより室温で測定された、５７０ｎｍの波長にて約８０％より高い、又は約９０％より高い透過率（％）によって特徴付けることができる。
【００１９】
本明細書で使用するとき、用語「アルコキシ」は、Ｃ１〜Ｃ８アルコキシ、及びブチレンオキサイド、グリシドールオキサイド、エチレンオキサイド、又はプロピレンオキサイドなどの繰り返し単位を有するポリオールのＣ１〜Ｃ８アルコキシ誘導体を含むことを意図する。本明細書において、用語「エチレンオキサイド」、「プロピレンオキサイド」、及び「ブチレンオキサイド」は、それぞれ、これらの典型的な表記である「ＥＯ」、「ＰＯ」、及び「ＢＯ」で示される場合がある。
【００２０】
本明細書で使用するとき、「平均分子量」は、その分子量分布によって決定される重量平均分子量として報告されるものであり、これらの製造プロセスの結果として、本明細書に開示されたポリマーは、そのポリマー部分に繰り返し単位の分布を含有する場合がある。
【００２１】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００２２】
本明細書における全ての温度は、特に断らない限り、摂氏（℃）を単位とする。特に指示がない限り、本明細書における全ての測定は、２０℃及び大気圧下で行う。
【００２３】
本開示の全ての実施形態において、全ての比率（％）は、特に記載のない限り、全組成物の重量に対するものである。特に記載のない限り、全ての比は重量比である。
【００２４】
本明細書の全体を通して記載される全ての最大数値限定は、それよりも小さい全ての数値限定を、かかるより小さい数値限定があたかも本明細書に明示的に記載されているかのように含むものと理解すべきである。本明細書の全体を通して記載される全ての最小数値限定は、それよりも高い全ての数値限定を、かかるより高い数値限定があたかも本明細書に明示的に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２５】
濃縮界面活性剤組成物
本開示は、濃縮界面活性剤組成物に関する。本明細書に記載の組成物は、最終製品を形成するために他の成分と組み合わされることが意図される、中間組成物であってもよい。本開示の濃縮界面活性剤組成物は、場合により、界面活性剤ペーストであると考えられる。
【００２６】
濃縮界面活性剤組成物は、以下の成分、すなわち、アルキルアルコキシル化サルフェート界面活性剤を含んでもよい界面活性剤系；アルコキシル化アミン、好ましくはアルコキシル化ポリアミン、より好ましくは四級化又は非四級化アルコキシル化ポリエチレンイミンからなる群から選択される、レオロジー改質剤であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤；有機溶媒系、並びに水を含んでも、これらから本質的になるものであっても、又はこれらからなるものであってもよい。これらの成分は、以下により詳細に記載されている。
【００２７】
濃縮界面活性剤組成物は、組成物の約７０重量％〜約９０重量％の界面活性剤系であって、界面活性剤系は、約５０％から、又は約６０％から、又は約７０％から、又は約８０％から、約１００％までのアルキルアルコキシル化サルフェート界面活性剤を含む、界面活性剤系と；組成物の約０．１重量％〜約２５重量％の、アルコキシル化アミン、好ましくはアルコキシル化ポリアミン、より好ましくは四級化又は非四級化アルコキシル化ポリエチレンイミンからなる群から選択されるレオロジー改質剤であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤と；組成物の約５重量％未満の有機溶媒系と、水と、を含む。いくつかの場合又は全ての場合では、組成物は、例えば、未反応反応物、副生成物、又は予想される加水分解生成物などの典型的な不純物以外の、２つ以下、又は１つ以下の更なる（活性）成分を含んでもよい。
【００２８】
濃縮界面活性剤組成物は、１０００／ｓ−１及び６０℃で測定して、約３，０００ｃｐｓ未満、又は約２，０００ｃｐｓ未満、又は約１，５００ｃｐｓ未満、又は約１，０００ｃｐｓ未満の粘度を有することができる。濃縮界面活性剤組成物は、１０００／ｓ−１及び６０℃で測定して、約１０ｃｐｓから、又は約５０ｃｐｓから、又は約１００ｃｐｓから、約３，０００ｃｐｓまで、又は約２，０００ｃｐｓまで、又は約１，５００ｃｐｓまで、又は約１，０００ｃｐｓまでの粘度を有することができる。粘度は、特に記載のない限り、本明細書に記載の剪断粘度試験方法によって決定される。
【００２９】
比較的低い粘度を有することにより、組成物の移送、圧送、及び／又は処理を容易にすることができる。例えば、濃縮組成物の粘度は、組成物を軌道車から、車の上部又は底部のどちらを通して圧送するのかに影響を及ぼす場合がある。更なる例では、濃縮組成物の粘度は、固形投与形態の製品の処理、例えば、顆粒状洗剤を製造するための洗剤用粉末との凝集化に影響を及ぼす場合がある。
【００３０】
濃縮界面活性剤組成物は、相安定であり、及び／又は透明な外観を有し、それによって、組成物をより容易に処理する及び／又は最終製品に組み込むことができることが望ましい場合がある。濃縮界面活性剤組成物は、等方性にすることができ、これを、組成物の相が安定していることの指標にすることができる。濃縮界面活性剤組成物は、２０℃で２週間後、及び／又は４０℃で２週間後、単一相の等方性溶液のままであることができる。濃縮界面活性剤組成物は、少なくとも約８０％、又は少なくとも約８５％、又は少なくとも約９０％、又は少なくとも約９５％、又は少なくとも約９８％、又は少なくとも約９９％の、５７０ｎｍでのパーセント透過率（％Ｔ）を有することができる。パーセント透過率は、以下の試験方法の項にて示されるパーセント透過率の方法によって決定される。
【００３１】
濃縮界面活性剤組成物は、２０±２℃で、組成物の１０％（重量／体積）溶液にてアルカリ性のｐＨを有することができる。濃縮界面活性剤組成物は、２０±２℃で、組成物の１０％（重量／体積）溶液にて、８より高いｐＨ、又は９より高いｐＨ、又は１０より高いｐＨ、又は１１より高いｐＨによって特徴付けることができる。濃縮界面活性剤組成物は、２０±２℃で、組成物の１０％（重量／体積）溶液にて、約９〜約１３のｐＨ、又は、好ましくは約１０〜約１３のｐＨを有することができる。
【００３２】
濃縮界面活性剤組成物は、予備アルカリ度（ＲＡ）値によって特徴付けることができる。ＲＡは、洗剤組成物の緩衝能の尺度（ｇ／ＮａＯＨ／１００ｇの洗剤組成物）であり、洗剤組成物の１％（重量／体積）の溶液をｐＨ７．５まで塩酸により滴定することによって決定され、以下の試験方法の項にて示される方法によって決定される。濃縮界面活性剤組成物は、約２未満、又は約１．５未満、又は約１未満、又は約０．８未満の予備アルカリ度によって特徴付けることができる。濃縮界面活性剤組成物は、約０．１から、又は約０．３から、又は約０．５から、約２．０まで、又は約１．５まで、又は約１．０まで、又は約０．８までの予備アルカリ度によって特徴付けることができる。このような予備アルカリ度は、本明細書に記載の組成物のアルカリ性のｐＨを維持するのに役立つことができる。アルキルアルコキシル化サルフェート界面活性剤が酸性環境下にて酸触媒加水分解反応を起すことがあるため、このような界面活性剤を含む組成物は、特定の予備アルカリ度を有することが特に望ましい場合がある。
【００３３】
本開示の濃縮界面活性剤組成物は、２０℃で２週間後、及び／又は４０℃で２週間後、単一相の溶液のままであることができる。
【００３４】
界面活性剤系
本開示の濃縮界面活性剤組成物は、界面活性剤系を含む。濃縮界面活性剤組成物は、組成物の約７０重量％〜約９０重量％の界面活性剤系を含んでもよい。
【００３５】
界面活性剤系は、アニオン性界面活性剤を含んでもよい。界面活性剤系のアニオン性界面活性剤は、アルキルアルコキシル化サルフェート界面活性剤、直鎖状アルキルベンゼンスルホネート界面活性剤、又はこれらの混合物を含んでもよく、又はこれらから本質的になるものであってもよい。界面活性剤系は、ノニオン性界面活性剤、カチオン性界面活性剤、両性界面活性剤、及び／又は双性界面活性剤を実質的に含まなくてもよい。界面活性剤系は、ノニオン性界面活性剤を実質的に含まなくてもよい。
【００３６】
界面活性剤系は、２種類以下の界面活性剤から本質的になるものであってもよい。しかし、界面活性剤系は、わずかな割合の、例えば、原料投入分、加水分解反応生成物、若しくは界面活性剤系の主要部分を構成する界面活性剤に関連する他の不純物、又は他の不純物を含む場合があることが認識される。
【００３７】
界面活性剤系中に存在する界面活性剤は、部分的に若しくは完全にのいずれかの酸形態で、又は塩として、典型的には水溶性塩として存在してもよい。好適な対イオンとしては、アルカリ金属カチオン、典型的にはナトリウム、又はアンモニウム若しくは置換アンモニウム、典型的にはナトリウムが挙げられる。界面活性剤は、別々に又は一緒にのいずれかで予め中和された後、濃縮界面活性剤系の他の成分のうちの１つ又は２つ以上と組み合わされてもよい。
【００３８】
アルキルアルコキシル化サルフェート
界面活性剤系は、アルキルアルコキシル化サルフェート界面活性剤を含んでもよい。アルキルアルコキシル化アルキル界面活性剤は、界面活性剤系の主要部分であってもよい。アルキルアルコキシル化界面活性剤は、直鎖状、分枝状、又はこれらの組み合わせであってもよい。
【００３９】
アルキルアルコキシル化サルフェート界面活性剤は、界面活性剤の約５０重量％から、又は約６０重量％から、又は約７０重量％から、又は約８０重量％から、約１００重量％までの濃度で組成物中に存在してもよい。アルキルアルコキシル化サルフェート界面活性剤は、組成物の約７０重量％〜約９０重量％、好ましくは約７５重量％〜約８５％、より好ましくは約７７％〜約８２％の濃度で存在してもよい。
【００４０】
アルキルアルコキシル化サルフェート界面活性剤は、アルキルエトキシル化サルフェート界面活性剤、アルキルプロポキシル化界面活性剤、又はこれらの混合物、好ましくはアルキルエトキシル化サルフェート界面活性剤であってもよい。アルキルアルコキシル化サルフェート界面活性剤は、約１〜約３、より好ましくは約１〜約２．５、更により好ましくは約１〜約２の重量平均アルコキシル化度、好ましくはエトキシル化度を有することができる。
【００４１】
アルキルアルコキシル化サルフェート界面活性剤がアルキルアルコキシル化サルフェート界面活性剤の混合物である場合、アルコキシル化度は、混合物の全成分の重量平均アルコキシ化度（重量平均アルコキシ化度）である。重量平均アルコキシル化度の計算では、アルコキシル化基を有しないアルキルアルコキシル化サルフェート界面活性剤成分の重量も含める必要がある。重量平均アルコキシル化度は、以下の要領で計算される。
重量平均アルコキシ化度＝（ｘ１＊界面活性剤１のアルコキシ化度＋ｘ２＊界面活性剤２のアルコキシ化度＋．．．．）／（ｘ１＋ｘ２＋．．．．）
［式中、ｘ１、ｘ２、．．．は、混合物の各々のサルフェート化アニオン性界面活性剤のグラム単位の重量であり、アルコキシル化度は、各々のサルフェート化アニオン性界面活性剤中でのアルコキシ基の数である］。
【００４２】
アルキルアルコキシル化サルフェート界面活性剤は、狭いエトキシル化の範囲を有する、アルキルエトキシル化界面活性剤であってもよい。アルキルエトキシル化界面活性剤は、全てのアルキルエトキシル化界面活性剤の約７重量％未満がｎ≧３［式中、ｎは、界面活性剤（ＡＥｎＳ）中でのエトキシレート（ＥＯ）基の数である］のアルキルエトキシル化界面活性剤であり、全てのアルキルエトキシル化界面活性剤の約３５重量％未満がｎ＝０のアルキルエトキシル化界面活性剤である分布の、アルキルエトキシル化界面活性剤を含んでもよい。
【００４３】
アルキルアルコキシル化サルフェートは、約８〜約１８個、又は約１０〜約１６個の炭素原子、好ましくは約１２〜約１５個の炭素原子、更により好ましくは約１４〜約１５個の炭素原子の、重量平均アルキル鎖長を有することができる。
【００４４】
アルキルアルコキシル化サルフェートは、約１４〜約１５個の炭素原子の平均アルキル鎖長、及び約１〜約２．５の平均エトキシル化度を有する、アルキルエトキシル化界面活性剤であってもよい。アルキルアルコキシル化サルフェートは、１４〜１５個の炭素の重量平均アルキル鎖長、及び２．５の重量平均エトキシル化度を有する、Ｃ４５ＡＥ２．５Ｓであってもよい。アルキルアルコキシル化サルフェートは、１４〜１５個の炭素の重量平均アルキル鎖長、及び約１．０の重量平均エトキシル化度を有する、Ｃ４５ＡＥ１．０Ｓであってもよい。
【００４５】
アルキルアルコキシル化サルフェートが分枝状アルキルアルコキシル化サルフェートである場合、分枝基は、アルキル基であってもよい。アルキル基は、メチル基、エチル基、プロピル基、ブチル基、ペンチル基、環状アルキル基、及びこれらの混合から選択されてもよい。単一又は複数のアルキル分枝が、本発明の洗剤に使用されるサルフェート化アニオン性界面活性剤を製造するために使用される出発アルコールのヒドロカルビル主鎖上に存在してもよい。分枝状アルキルアルコキシル化サルフェート化アニオン性界面活性剤は、アルキルエトキシサルフェートであってもよい。
【００４６】
様々な鎖長、エトキシル化度、及び分枝度のアルキルアルコキシル化サルフェートが市販されている。市販されているサルフェートとしては、Ｓｈｅｌｌ  ｃｏｍｐａｎｙ製のＮｅｏｄｏｌアルコール、Ｓａｓｏｌ  ｃｏｍｐａｎｙ製のＬｉａｌ−Ｉｓａｌｃｈｅｍｌ及びＳａｆｏｌ、並びにＰｒｏｃｔｅｒ  ＆  Ｇａｍｂｌｅ  Ｃｏｍｐａｎｙ製の天然アルコールに基づいたものが挙げられる。
【００４７】
スルホン化界面活性剤
組成物又は界面活性剤系は、アニオン性スルホン化界面活性剤、好ましくはアルキルベンゼンスルホネート界面活性剤、より好ましくは直鎖状アルキルベンゼンスルホネート（ＬＡＳ）界面活性剤を更に含んでもよい。
【００４８】
スルホン化界面活性剤は、組成物の約０重量％〜約５０重量％、又は約１重量％〜約５０重量％、又は約１０重量％〜約４０重量％、又は約２０重量％〜約３５重量％、又は約２５重量％〜約３０重量％の濃度で存在してもよい。スルホン化界面活性剤は、界面活性剤系の約０重量％から、又は約１重量％から、又は約５重量％から、又は約１０重量％から、又は約２０重量％から、又は約２５重量％から、約５０重量％まで、又は約４０重量％まで、又は約３５重量％まで、又は約３０重量％までの濃度で存在してもよい。スルホン化界面活性剤は、界面活性剤系の約３５重量％〜約４５重量％の濃度で存在してもよく、アルキルアルコキシル化サルフェートは、界面活性剤系の約５５重量％〜約６５重量％の濃度で存在してもよい。
【００４９】
直鎖状アルキルベンゼンスルホネート界面活性剤は、約１０〜約１６個、好ましくは約１１〜約１３個の炭素原子の重量平均アルキル鎖長を有する。ＬＡＳの重量平均アルキル鎖長は、約１１．８個の炭素であってもよい。ＬＡＳは、酸形態にて、又は塩として、好ましくはナトリウム塩として存在してもよい。
【００５０】
界面活性剤系におけるＡＥＳのＬＡＳに対する重量比は、約９９：１〜約１：１、又は約２５：１〜約１：１、又は約１０：１〜約１．５：１、又は約７：１〜約２：１、又は約５：１〜約３：１の範囲であってもよい。界面活性剤系におけるＡＥＳのＬＡＳに対する重量比は、約２：１〜約１：１の範囲であってもよい。
【００５１】
スルホン化界面活性剤は、界面活性剤系の約３５重量％〜約４５重量％の濃度で存在してもよく、アルキルアルコキシル化サルフェートは、界面活性剤系の約５５重量％〜約６５重量％の濃度で存在してもよい。
【００５２】
好適なアルキルベンゼンスルホネート（ＬＡＳ）は、市販の直鎖状アルキルベンゼン（ＬＡＢ）をスルホネート化することによって得ることができ、好ましくは得られる。好適なＬＡＢとしては、Ｓａｓｏｌにより商品名Ｉｓｏｃｈｅｍ（登録商標）で供給されているもの又はＰｅｔｒｓａにより商品名Ｐｅｔｒｅｌａｂ（登録商標）で供給されているものなどの低級２−フェニルＬＡＢが挙げられ、他の好適なＬＡＢとしては、Ｓａｓｏｌにより商品名Ｈｙｂｌｅｎｅ（登録商標）として供給されているものなどの高級２−フェニルＬＡＢが挙げられる。好適なアニオン性洗剤用界面活性剤は、ＤＥＴＡＬ触媒プロセスによって得られるアルキルベンゼンスルホネートであるが、フッ化水素酸（ＨＦ）を触媒とするものなどの他の合成経路が好適な場合もある。
【００５３】
レオロジー改質剤
本明細書で使用するとき、用語「レオロジー改質剤」とは、当該濃縮界面活性剤の粘度及び弾性を実質的に低下させるように、その濃縮界面活性剤、好ましくは中間的相構造を有する濃縮界面活性剤と相互作用する材料を意味する。好適なレオロジー改質剤としては、限定するものではないが、ソルビトールエトキシレート、グリセロールエトキシレート、ソルビタンエステル、タローアルキルエトキシル化アルコール、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、アルコキシル化アミン、アルコキシル化ポリアミン、ポリエチレンイミン（ＰＥＩ）、ＰＥＩのアルコキシル化変異体、及び好ましくはエトキシル化ＰＥＩ、並びにこれらの混合物が挙げられる。レオロジー改質剤は、上記のポリマーのうちの１つ、例えば、エトキシル化ＰＥＩを、約２，０００ダルトン〜約８，０００ダルトンの重量平均分子量を有するポリエチレングリコール（ＰＥＧ）と組み合わせて、含んでもよい。
【００５４】
本明細書で使用するとき、用語「機能性レオロジー改質剤」とは、更なる洗剤機能性を有するレオロジー改質剤を意味する。いくつかの場合では、本明細書で以下に記載される分散剤ポリマーはまた、機能性レオロジー改質剤としても機能することができる。機能性レオロジー改質剤は、組成物の約０．１重量％〜約２５重量％、又は約１重量％〜約２０重量％、又は約１重量％〜約１５重量％、好ましくは約２重量％〜約１２重量％、より好ましくは約４重量％〜約８重量％の濃度で組成物中に存在してもよい。
【００５５】
アルコキシル化アミン
アルコキシル化アミンは、濃縮界面活性剤混合物のｐＨ範囲にわたって部分的に若しくは完全にプロトン化されていても、又はプロトン化されていなくてもよい。あるいは、アルコキシル化アミンは、部分的に又は完全に四級化されていてもよい。アルコキシル化アミンは、非四級化のものであってもよい。アルコキシル化アミンは、エトキシレート（ＥＯ）基を含んでもよい。
【００５６】
アルコキシル化アミンは、直鎖状、分枝状、又はこれらの組み合わせ、好ましくは分枝状であってもよい。
【００５７】
アルコキシル化アミンは、Ｎ，Ｎ，Ｎ’，Ｎ’−テトラ（２−ヒドロキシエチル）エチレンジアミン（ヒドロキシルアミンの種類としても記載されている）などの２つ以上のアミン部分を含有してもよい。Ｎ，Ｎ，Ｎ’，Ｎ’−テトラメチル（２−ヒドロキシエチル）エチレンジアミンはまた、キレート剤としても機能する。
【００５８】
アルコキシル化アミンは、アルコキシル化ポリアルキレンイミンを含むアルコキシル化アミンを含んでもよい（又は該アルコキシル化アミンであってもよい）。アルコキシル化ポリアルキレンイミンは、アルコキシル化ポリエチレンイミン（ＰＥＩ）であってもよい。
【００５９】
典型的には、アルコキシル化ポリアルキレンイミンポリマーは、ポリアルキレンイミン主鎖を含む。ポリアルキレンイミンは、Ｃ２アルキル基、Ｃ３アルキル基、又はこれらの混合、好ましくはＣ２アルキル基を含んでもよい。アルコキシル化ポリアルキレンイミンポリマーは、ポリエチレンイミン（「ＰＥＩ」）主鎖を有してもよい。
【００６０】
アルコキシル化ＰＥＩは、エトキシル化前に決定したときに、約４００〜約１０００、又は約５００〜約７５０、又は約５５０〜約６５０、又は約６００の重量平均分子量を有するポリエチレンイミン主鎖を含んでもよい。
【００６１】
本明細書に記載のポリマーのＰＥＩ主鎖は、アルコキシル化前に、一般実験式：
【００６２】
【化１】
0006882477.tif 000002
［式中、Ｂは、この構造の分枝による連続部分を表す。］を有してもよい。いくつかの態様では、ｎ＋ｍは、８以上、又は１０以上、又は１２以上、又は１４以上、又は１８以上、又は２２以上である。
【００６３】
アルコキシル化ポリアルキレンイミンポリマーは、アルコキシル化窒素基を含む。アルコキシル化ポリアルキレンイミンポリマーは、独立して、アルコキシル化窒素１つ当たり平均して、最大約５０個、又は最大約４０個、又は最大約３５個、又は最大約３０個、又は最大約２５個、又は最大約２０個のアルコキシレート基を含んでもよい。アルコキシル化ポリアルキレンイミンポリマーは、独立して、アルコキシル化窒素１つ当たり平均して、少なくとも約５個、又は少なくとも約１０個、又は少なくとも約１５個、又は少なくとも約２０個のアルコキシレート基を含んでもよい。
【００６４】
アルコキシル化ポリアルキレンイミンポリマー、好ましくはアルコキシル化ＰＥＩは、エトキシレート（ＥＯ）基、プロポキシレート（ＰＯ）基、又はこれらの組み合わせを含んでもよい。アルコキシル化ポリアルキレンイミンポリマー、好ましくはアルコキシル化ＰＥＩは、エトキシレート（ＥＯ）基を含んでもよい。アルコキシル化ポリアルキレンイミンポリマー、好ましくはアルコキシル化ＰＥＩは、プロポキシエート（ＰＯ）基を含まなくてもよい。
【００６５】
アルコキシル化アミン、好ましくはアルコキシル化ポリアルキレンイミンポリマー、より好ましくはアルコキシル化ＰＥＩは、アルコキシル化窒素１つ当たり平均して、約１〜５０個のエトキシレート（ＥＯ）基及び約０〜５個のプロポキシレート（ＰＯ）基を含んでもよい。アルコキシル化ポリアルキレンイミンポリマー、好ましくはアルコキシル化ＰＥＩは、アルコキシル化窒素１つ当たり平均して、約１〜５０個のエトキシレート（ＥＯ）基を含んでもよく、プロポキシレート（ＰＯ）基を含まない。アルコキシル化ポリアルキレンイミンポリマー、好ましくはアルコキシル化ＰＥＩは、アルコキシル化窒素１つ当たり平均して、約１０〜３０個のエトキシレート（ＥＯ）基、好ましくは約１５〜２５個のエトキシレート（ＥＯ）基を含んでもよい。
【００６６】
好適なポリアミンとしては、低分子量、水溶性で、軽度にアルコキシル化されたエトキシル化／プロポキシル化ポリアルキレンアミンポリマーが挙げられる。「軽度にアルコキシル化された」とは、本発明のポリマーに、窒素１つ当たり平均して、約０．５〜約２０、又は０．５〜約１０のアルコキシル化が生じていることを意味する。ポリアミンが「実質的に無帯電」であってもよいとは、ｐＨ１０、又はｐＨ７でポリアルキレンアミンポリマーの主鎖中に存在する約４０の窒素毎に約２以下の正電荷があることを意味するが、ポリマーの電荷密度は、ｐＨによって変動し得ることが認識される。
【００６７】
好適なアルコキシル化ポリアルキレンイミン、例えばＰＥＩ６００  ＥＯ２０は、ＢＡＳＦ（Ｌｕｄｗｉｇｓｈａｆｅｎ，Ｇｅｒｍａｎｙ）から入手可能である。
【００６８】
エチレンオキサイド−プロピレンオキサイド−エチレンオキサイド（ＥＯｘ１ＰＯｙＥＯｘ２）トリブロックコポリマー
エチレンオキサイド−プロピレンオキサイド−エチレンオキサイド（ＥＯｘ１ＰＯｙＥＯｘ２）トリブロックコポリマーにおいて、ｘ１及びｘ２の各々は約２〜約１４０の範囲であり、ｙは約１５〜約７０の範囲である。エチレンオキサイド−プロピレンオキサイド−エチレンオキサイド（ＥＯｘ１ＰＯｙＥＯｘ２）トリブロックコポリマーは、好ましくは、２０〜７０、好ましくは３０〜６０、より好ましくは４５〜５５のプロピレンオキサイド単位の平均プロピレンオキサイド鎖長を有する。
【００６９】
好ましくは、エチレンオキサイド−プロピレンオキサイド−エチレンオキサイド（ＥＯｘ１ＰＯｙＥＯｘ２）トリブロックコポリマーは、約１０００〜約１０，０００ダルトン、好ましくは約１５００〜約８０００ダルトン、より好ましくは約２０００〜約７０００ダルトン、更により好ましくは約２５００〜約５０００ダルトン、最も好ましくは約３５００〜約３８００ダルトンの重量平均分子量を有する。
【００７０】
好ましくは、エチレンオキサイドブロック又は鎖は、各々独立して、２〜９０、好ましくは３〜５０、より好ましくは４〜２０のエチレンオキサイド単位の平均鎖長を有する。
【００７１】
好ましくは、コポリマーは、コポリマーの１０重量％〜９０重量％、好ましくは１５重量％〜５０重量％、最も好ましくは１５重量％〜２５重量％の組み合わせたエチレン−オキサイドブロックを含む。最も好ましくは、総エチレンオキサイド含有量は、２つのエチレンオキサイドブロックにわたって等分されている。本明細書で、等分されているとは、エチレンオキサイドブロックが各々、エチレンオキサイド単位の総数の、平均して４０％〜６０％、好ましくは４５％〜５５％、更により好ましくは４８％〜５２％、最も好ましくは５０％を構成することを意味するものであり、両方のエチレンオキサイドブロックの％を足すと１００％になる。いくつかのエチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲であり、ｙは約１５〜約７０の範囲である。］により、洗浄が改善される。
【００７２】
好ましくは、コポリマーは、約３５００〜約３８００ダルトンの重量平均分子量、４５〜５５のプロピレンオキサイド単位のプロピレンオキサイド含有量、及びエチレンオキサイドブロック１つ当たり４〜２０のエチレンオキサイド単位のエチレンオキサイド含有量を有する。
【００７３】
好ましくは、エチレンオキサイド−プロピレンオキサイド−エチレンオキサイド（ＥＯｘ１ＰＯｙＥＯｘ２）トリブロックコポリマーは、１０００〜１０，０００ダルトン、好ましくは１５００〜８０００ダルトン、より好ましくは２０００〜７５００ダルトンの重量平均分子量を有する。好ましくは、コポリマーは、コポリマーの１０重量％〜９５重量％、好ましくは１２重量％〜９０重量％、最も好ましくは１５重量％〜８５重量％の組み合わせたエチレン−オキサイドブロックを含む。いくつかのエチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲であり、ｙは約１５〜約７０の範囲である。］により、溶解が改善される。
【００７４】
好適なエチレンオキサイド−プロピレンオキサイド−エチレンオキサイドトリブロックコポリマーは、ＢＡＳＦ  ｃｏｍｐａｎｙからＰｌｕｒｏｎｉｃ  ＰＥシリーズで、又はＤｏｗ  Ｃｈｅｍｉｃａｌ  ＣｏｍｐａｎｙからＴｅｒｇｉｔｏｌ  Ｌシリーズで市販されている。特に好適な材料は、Ｐｌｕｒｏｎｉｃ  ＰＥ９２００である。
【００７５】
非アミノ官能性有機溶媒
本開示の濃縮界面活性剤組成物は、非アミノ官能性有機溶媒を含んでもよい。有機溶媒は、本開示の組成物中で望ましい粘度及び安定性プロファイルに寄与することができる。しかし、溶媒によって最終製品の性能利益はほとんど付け加えられないので、所望の粘度及び／又は安定性をなお維持しつつ、非アミノ官能性溶媒の量を最小限に保つことが望ましい場合がある。
【００７６】
本開示の濃縮界面活性剤組成物は、組成物の約５重量％以下の非アミノ官能性有機溶媒を含んでもよい。非アミノ官能性有機溶媒は、組成物の約５重量％未満、又は約４重量％未満、又は約３重量％未満、好ましくは約２重量％未満、好ましくは約１重量％未満、好ましくは約０重量％の濃度で存在してもよい。濃縮界面活性剤組成物は、組成物の約０重量％〜約５５重量％、又は約０重量％〜約１重量％、又は約０重量％の非アミノ官能性有機溶媒を含んでもよい。
【００７７】
濃縮界面活性剤組成物は、非アミノ官能性有機溶媒を実質的に含まなくてもよい。
【００７８】
非アミノ官能性有機溶媒は、存在する場合、少なくとも１つ、又は少なくとも２つ、又は少なくとも３つの有機溶媒を含んでもよい。非アミノ官能性有機溶媒は、４つ以下、又は３つ以下、又は２つ以下、又は１つ以下の有機溶媒を含んでもよい。
【００７９】
非アミノ官能性有機溶媒は、存在する場合、エタノール、プロパノール、ブタノール、イソプロパノールなどの一価アルコール；ジエチレングリコール、プロパンジオール、ブタンジオール、及びジオールなどの二価アルコールであって、当該ジオール中に存在するヒドロキシル基が隣接する原子に結合している、二価アルコール；ポリエチレングリコールなどのポリアルキレングリコール；グリセリンなどの多価アルコール；アルコキシル化グリセリン、アルコキシル化ジオール、並びにこれらの組み合わせからなる群から選択される溶媒を含んでもよい。非アミノ官能性有機溶媒は、グリセリン、エタノール、プロパンジオール、ジエチレングリコール、ジプロピレングリコール、ポリアルキレングリコール（例えば、ＰＥＧ４０００）、ブタンジオール、及びこれらの組み合わせからなる群から選択される溶媒を含んでもよい。
【００８０】
有機溶媒系は、プロパンジオールを含んでもよい。有機溶媒系は、プロパンジオール及び少なくとも１つの他の有機溶媒を含んでもよい。有機溶媒系は、プロパンジオール及びジエチレングリコールを含んでもよい。プロパンジオールのジエチレングリコールに対する重量比は、約１：２〜約４：１であってもよい。あるいは、有機溶媒系は、ジエチレングリコールを実質的に含まなくてもよい。
【００８１】
有機溶媒系は、プロパンジオール及びエタノールを含んでもよい。プロパンジオールのエタノールに対する重量比は、約１：１〜約２．５：１、又は約１．０５：１〜約２．１１：１、又は約１．５：１〜約２．１：１であってもよい。
【００８２】
水
本開示の濃縮界面活性剤組成物は、水を含有してもよい。水は、有機溶媒系に加えて界面活性剤系の溶媒として機能することができる。本発明の濃縮組成物を配合する場合、有機溶媒系の、それ以外が必須であり得る一部は、水で置き換えられてもよい。水は、典型的には、強力液体洗剤組成物などの少なくともいくつかの最終洗剤製品中に存在し、典型的には有機溶媒よりも低コストである。
【００８３】
本開示の濃縮界面活性剤組成物は、本明細書に記載の成分（界面活性剤系、有機溶媒系、及びアルカリ化剤を含む）を含有し、水を残部としてもよい。本開示の濃縮界面活性剤組成物は、組成物の約５重量％から、又は約１０重量％から、約３０重量％まで、又は約２５重量％まで、又は約２０重量％まで、又は約１６重量％まで、又は約１４重量％までの水を含んでもよい。
【００８４】
水は、遊離水又は純水として添加されてもよい。いくつかの態様において、水は、他の成分の構成要素として、例えば水酸化ナトリウム又は有機酸のキャリアとして組成物に入る。水は、組成物における酸の中和から、例えば、酸形態のアルキルエトキシル化サルフェート（ＨＡＥＳ）又は酸形態のＬＡＳ（ＨＬＡＳ）からも形成される場合があることを理解されたい。
【００８５】
アルカリ化剤
本開示の濃縮界面活性剤組成物は、アルカリ化剤を含んでもよい。濃縮界面活性剤組成物は、約０．１％〜約５．５％のアルカリ化剤を含んでもよい。アルカリ化剤は、界面活性剤を中和するのに十分な濃度で、濃縮界面活性剤組成物中に存在してもよい。界面活性剤が中和されるとき、それらが予め中和された組成物に入るか、又はアルカリ化剤の添加によって中和されるかに関わらず、少量の過剰のアルカリ化剤が、組成物中に、例えば、濃縮界面活性剤組成物の約０．１重量％〜約１重量％で存在してもよい。
【００８６】
アルカリ化剤は、苛性剤であってよい。好適な苛性剤としては、アルカリ金属水酸化物、アルカリ土類金属水酸化物、アンモニウム（置換若しくは非置換）水酸化物、又はこれらの混合物が挙げられる。アルカリ化剤は、アルカリ金属水酸化物、好ましくは水酸化ナトリウムであってもよい。
【００８７】
アルカリ化剤は、モノエタノールアミン（ＭＥＡ）又はトリエタノールアミン（ＴＥＡ）などのアルカノールアミンであってもよい。
【００８８】
他の成分
本明細書に記載の濃縮界面活性剤組成物は、典型的には成分の数に限定があるが、適宜、他の成分を含んでもよい。好適な成分としては、ポリマー、抗菌剤、他の界面活性剤（分枝状アニオン性界面活性剤及び／又はアミンオキシドを含む）、ヒドロトロープ（ナトリウムクメンサルフェートなど）、脂肪酸及び／若しくはその塩、又は前述のいずれかの混合物を挙げることができる。本明細書で濃縮界面活性剤組成物は、脂肪酸を実質的に含まなくてもよく、好ましくはカルボン酸、及び／又はそれらの塩を含まなくてもよい。
【００８９】
洗剤組成物
本開示の濃縮界面活性剤組成物は、洗剤組成物の製造に有用である。洗剤組成物は、中間組成物であってもよく、及び／又は消費者又は施設に販売され使用されることを意図した最終用途製品であってもよい。したがって、本開示はまた、洗剤組成物にも関する。本開示の洗剤組成物は、本明細書に記載のような濃縮界面活性剤組成物、及び洗剤補助剤を含んでもよい。洗剤組成物は、布地ケア組成物であってもよい。
【００９０】
洗剤組成物は、液体、ゲル、粉末、バー、錠剤、パウチなどの利用用量物品（単区画又は多区画）、繊維、ウェブ、又はシートなどの、消費者による最終使用に好適な任意の形態を有することができる。洗剤組成物は、液体、ゲル、１つ以上の顆粒、１枚以上のシート、１つ以上の繊維、又はこれらの組み合わせから選択される形態を有することができる。
【００９１】
洗剤組成物は、洗剤組成物の約５重量％〜約７６重量％、又は約８重量％〜約５０重量％、又は約１０重量％〜約４０重量％の濃縮界面活性剤組成物を含んでもよい。洗剤組成物は、洗剤組成物の約５重量％〜約８０重量％、又は約８重量％〜約５０重量％、又は約１０重量％〜約３０重量％の界面活性剤を洗剤組成物に提供するのに十分な量の濃縮界面活性剤組成物を含んでもよい。
【００９２】
洗剤組成物は、洗剤補助剤を含んでもよい。任意の好適な洗剤補助剤を添加することができる。洗剤補助剤は、更なる界面活性剤、構造化剤、ビルダー、布地柔軟剤、ポリマー又はオリゴマー、酵素、酵素安定剤、漂白系、増白剤、色調剤、キレート剤、抑泡剤、コンディショニング剤、保湿剤、香料、香料マイクロカプセル、充填剤又はキャリア、アルカリ性系、ｐＨ調整系、緩衝剤、アルカノールアミン、及びこれらの混合物からなる群から選択されるものであってもよい。
【００９３】
洗剤補助剤は、更なる界面活性剤を含んでもよい。更なる界面活性剤は、アニオン性界面活性剤、ノニオン性界面活性剤、両性界面活性剤、カチオン性界面活性剤、両性界面活性剤、及びこれらの組み合わせから選択されるものであってもよい。好適なアニオン性界面活性剤としては、更なるＬＡＳ又は分枝状アニオン性界面活性剤を挙げることができる。好適なノニオン性界面活性剤としては、エトキシル化アルコール界面活性剤を挙げることができる。好適な両性界面活性剤としては、アミンオキシド挙げることができる。
【００９４】
濃縮界面活性剤組成物の製造プロセス
本開示は、本明細書に開示される濃縮界面活性剤組成物の製造プロセスに関する。ステップは、アニオン性アルキルアルコキシル化サルフェート界面活性剤、任意選択的にアニオン性スルホン化界面活性剤、レオロジー改質剤、任意選択的に非アミノ官能性有機溶媒、及び水を準備するステップであって、レオロジー改質剤が、アルコキシル化アミン、好ましくは、アルコキシル化ポリアミン、より好ましくは四級化又は非四級化アルコキシル化ポリエチレンイミンからなる群から選択され、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、ステップと、濃縮界面活性剤組成物を形成するために、成分を以下の割合にて、すなわち、界面活性剤系を形成するのに十分な量のアニオン性アルキルアルコキシル化サルフェート界面活性剤及び任意選択的にアニオン性スルホン化界面活性剤であって、界面活性剤系が組成物の約７０重量％〜約９０重量％の量で存在し、アニオン性アルキルアルコキシル化サルフェート界面活性剤が、界面活性剤系の約５０重量％〜約１００重量％の濃度で存在するもの；組成物の約０．１〜約２５重量％のレオロジー改質剤；５％以下の非アミノ官能性有機溶媒、及び水、という割合にて組み合わせるステップと、を含んでもよい。
【００９５】
プロセスは、アニオン性アルキルアルコキシル化サルフェート界面活性剤、レオロジー改質剤、任意選択的に非アミノ官能性有機溶媒、及び水を準備するステップであって、レオロジー改質剤が、アルコキシル化アミン、好ましくは、アルコキシル化ポリアミン、より好ましくは四級化又は非四級化アルコキシル化ポリエチレンイミンからなる群から選択され、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、ステップと、濃縮界面活性剤組成物を形成するために、成分を以下の割合にて、すなわち、組成物の約７０重量％〜約９０重量％のアニオン性アルキルアルコキシル化サルフェート界面活性剤；組成物の約０．１重量％〜約１０重量％のレオロジー改質剤；５％以下の非アミノ官能性有機溶媒、及び水、という割合にて組み合わせるステップと、を含んでもよい。
【００９６】
プロセスは、予め中和された形態で、好ましくはナトリウムで（例えば、水酸化ナトリウムにより）予め中和された形態で、アルキルアルコキシル化サルフェート界面活性剤及び／又は直鎖状アルキルベンゼンスルホネート界面活性剤を準備するステップを含んでもよい。プロセスは、アルキルアルコキシル化サルフェート界面活性剤及び／又は直鎖状アルキルベンゼンスルホネート界面活性剤を、アルカリ化剤と組み合わせ、界面活性剤を予め中和した後、有機溶媒系と組み合わせるステップを含んでもよい。界面活性剤と組み合わされたアルカリ化剤（例えば、水酸化ナトリウム）は、少なくとも約５０重量％の活性、又は少なくとも約６０重量％の活性、又は少なくとも約７０重量％の活性とすることができる。アルカリ化剤の活性濃度を高くすることは、典型的には、より少量の水を濃縮界面活性剤組成物に添加し、より多くの配合余地を活性成分（例えば、より多くの界面活性剤）及び／又は他の処理助剤のために残すことを意味する。
【００９７】
組成物は、小過剰のアルカリ化剤、好ましくは水酸化ナトリウムなどの苛性アルカリ化剤を、界面活性剤を中和するために必要とされる分より多く、界面活性剤が予め中和されているものとして準備されるかどうかに関わらず、含んでもよい。したがって、濃縮界面活性剤組成物は、濃縮界面活性剤組成物の約０．１重量％〜約１重量％のアルカリ化剤、好ましくは水酸化ナトリウムなどの苛性アルカリ化剤を含んでもよい。ｐＨをより効率的に調整することができるように、界面活性剤を予め中和することが望ましい場合がある。
【００９８】
濃縮界面活性剤組成物の本開示による製造プロセスは、中間濃縮組成物から水分を除去するステップを含んでもよい。水を除去することにより、より高度の濃縮界面活性剤組成物が提供され、その結果、移送効率、処理効率、及び／又は製品製造効率が得られる。水は、湿式薄膜蒸発器の使用などの任意の好適な方法によって除去することができる。他の除去方法としては、蒸留、ロータリーエバポレータによる方法、スパージング、及び凍結乾燥を挙げることができるが、これらに限定されない。水分除去のステップでは、中間組成物中に存在する水の量を、最終濃縮界面活性剤組成物中に存在する水の量と比較して、少なくとも５％、又は少なくとも１０％、又は少なくとも２０％、又は少なくとも３０％、又は少なくとも４０％、又は少なくとも５０％異なるものにできる（例えば、減少させることができる）。
【００９９】
洗剤組成物の製造プロセス
本開示は、洗剤組成物の製造プロセスに関する。洗剤組成物は、中間洗剤成分として好適な任意の形態、又は液体、ゲル、粉末、バー、錠剤、パウチなどの利用用量物品（単区画若しくは多区画）、繊維、ウェブ、若しくはシートなどの、消費者による最終使用に好適な任意の形態を有することができる。
【０１００】
プロセスは、本明細書に記載の濃縮界面活性剤組成物を準備するステップと、洗剤組成物を形成するために、濃縮界面活性剤組成物を少なくとも１つの補助剤と組み合わせるステップと、を含んでもよい。
【０１０１】
本開示の濃縮界面活性剤組成物は、異なる最終使用洗剤組成物に組み込むことができる界面活性剤中間体として有用である。したがって、本開示は、複数の洗剤組成物の製造プロセスであって、本明細書に記載の濃縮界面活性剤組成物の第１の部分を準備するステップと、第１の部分を第１の洗剤補助剤と組み合わせ、第１の洗剤組成物を形成するステップと、本明細書に記載の濃縮界面活性剤組成物の第２の部分を準備するステップと、第２の部分を第２の洗剤添加剤と組み合わせ、第１の洗剤組成物と組成的に異なる第２の洗剤組成物を形成するステップと、を含む、製造プロセスに関する。本明細書に記載のプロセスでは、濃縮界面活性剤組成物を、単一のバッチで準備し、次いで第１及び第２の部分に分割してもよいが、必ずしもそうである必要はない。第１及び第２の部分を、別個の場所又は別個の回数として製造する別個のバッチとして準備することができる。
【０１０２】
第２の洗剤組成物は、添加される補助剤、補助剤及び／又は濃縮界面活性剤組成物が添加された相対割合、ｐＨ、美観（色及び／若しくは香りを含む）、又は任意の他の好適な組成的差別化の観点から、第１の洗剤組成物と異なっていてもよい。
【０１０３】
レオロジー改質剤の使用
本開示は更に、上記のレオロジー改質剤、好ましくはアルコキシル化ポリアルキレンイミンの、濃縮界面活性剤組成物の粘度を低下させるための使用であって、組成物が、組成物の約７０重量％〜約９０重量％のアニオン性アルキルアルコキシル化サルフェート界面活性剤、好ましくはアニオン性アルキルエトキシル化サルフェート界面活性剤を含む、使用に関する。
【０１０４】
本開示は更に、上記のレオロジー改質剤、好ましくはアルコキシル化ポリアルキレンイミンの、濃縮界面活性剤組成物の粘度を低下させるための使用であって、組成物が、組成物の約７０重量％〜約９０重量％の界面活性剤系を含み、界面活性剤系は、約５０重量％〜約１００重量％のアニオン性アルキルアルコキシル化サルフェート界面活性剤を含む、使用に関する。界面活性剤系は、界面活性剤系の約１重量％〜約５０重量％のアニオン性スルホン化界面活性剤、好ましくはアルキルベンゼンスルホネート界面活性剤、より好ましくは直鎖状アルキルベンゼンスルホネート界面活性剤を、更に含んでもよい。
【０１０５】
好適な組成物及びその成分は、上記により詳細に記載されている。
【０１０６】
組み合わせ
本開示の具体的に想到される組み合わせを、本明細書で以下のアルファベットを付した段落に記載する。これらの組み合わせは、事実上例示的なものであり、制限的であることを意図したものではない。
Ａ．濃縮界面活性剤組成物であって、組成物の約７０重量％〜約９０重量％の界面活性剤系であって、当該界面活性剤系は約５０％〜約１００％のアニオン性アルキルアルコキシル化サルフェート界面活性剤を含む、界面活性剤系と；組成物の約０．１重量％〜約２５重量％の、アルコキシル化アミン、好ましくはアルコキシル化ポリアミン、より好ましくは四級化又は非四級化アルコキシル化ポリエチレンイミンからなる群から選択されるレオロジー改質剤であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤と；組成物の約５重量％以下の非アミノ官能性有機溶媒と；水と、を含む、濃縮界面活性剤組成物。
Ｂ．レオロジー改質剤が、エトキシレート（ＥＯ）基、プロポキシレート（ＰＯ）基、又はこれらの組み合わせ、好ましくはエトキシレート（ＥＯ）基を含むアルコキシル化アミンである、段落Ｂに記載の濃縮界面活性剤組成物。
Ｃ．アルコキシル化アミンが、アルコキシル化ポリアルキレンイミンを含む、段落Ａ又はＢに記載の濃縮界面活性剤組成物。
Ｄ．アルコキシル化ポリアルキレンイミンが、アルコキシル化窒素１つ当たり平均して、約１〜５０個のエトキシレート（ＥＯ）基及び約０〜５個のプロポキシレート（ＰＯ）基を含む、段落Ａ〜Ｃのいずれか１つに記載の濃縮界面活性剤組成物。
Ｅ．アルコキシル化ポリアルキレンイミンが、アルコキシル化窒素１つ当たり平均して、約１〜５０個のエトキシレート（ＥＯ）基を含み、プロポキシレート（ＰＯ）基を含まない、段落Ａ〜Ｄのいずれか１つに記載の濃縮界面活性剤組成物。
Ｆ．アルコキシル化ポリアルキレンイミンが、アルコキシル化窒素１つ当たり平均して、約１０〜３０個のエトキシレート（ＥＯ）基、好ましくは約１５〜２５個のエトキシレート（ＥＯ）基を含む、段落Ａ〜Ｅのいずれか１つに記載の濃縮界面活性剤組成物。
Ｇ．アルコキシル化ポリアルキレンイミンが、アルコキシル化ポリエチレンイミン（ＰＥＩ）である、段落Ａ〜Ｆのいずれか１つに記載の濃縮界面活性剤組成物。
Ｈ．アルコキシル化ＰＥＩが、エトキシル化前に決定したときに、約４００〜約１０００、又は約５００〜約７５０、又は約５５０〜約６５０、又は約６００の重量平均分子量を有する、段落Ａ〜Ｇのいずれか１つに記載の濃縮組成物。
Ｉ．アルコキシル化アミンが、濃縮組成物の約１重量％〜約１５重量％、好ましくは約２重量％〜約１２重量％、好ましくは約４重量％〜約８重量％の濃度で存在する、段落Ａ〜Ｈのいずれか１つに記載の濃縮界面活性剤組成物。
Ｊ．アルコキシル化アミンが、非四級化のものである、段落Ａ〜Ｉのいずれか１つに記載の濃縮界面活性剤組成物。
Ｋ．アルキルアルコキシル化サルフェート界面活性剤が、アルキルエトキシル化界面活性剤であり、好ましくは約１〜約３．５、より好ましくは約１〜約３、更により好ましくは約１〜約２の平均エトキシル化度を有する、段落Ａ〜Ｊのいずれか１つに記載の濃縮界面活性剤組成物。
Ｌ．アルキルアルコキシル化サルフェートが、約１０〜約１６個の炭素原子、好ましくは約１２〜約１５個の炭素原子、更により好ましくは約１４〜約１５個の炭素原子の、平均アルキル鎖長を有する、段落Ａ〜Ｋのいずれか１つに記載の濃縮界面活性剤組成物。
Ｍ．組成物が、組成物の約７５重量％〜約８５重量％、好ましくは約７７重量％〜約８２重量％の界面活性剤系を含む、段落Ａ〜Ｌのいずれか１つに記載の濃縮界面活性剤組成物。
Ｎ．組成物が、組成物の３重量％未満、好ましくは２重量％未満、好ましくは１重量％未満、好ましくは約０重量％の非アミノ官能性有機溶媒を含む、段落Ａ〜Ｍのいずれか１つに記載の濃縮界面活性剤組成物。
Ｏ．有機溶媒が、一価アルコール；二価アルコール；ポリアルキレングリコール；多価アルコール；アルコキシル化グリセリン；アルコキシル化ジオール；及びこれらの組み合わせからなる群から選択される、段落Ａ〜Ｎのいずれか１つに記載の濃縮界面活性剤組成物。
Ｐ．有機溶媒系が、グリセリン、エタノール、プロパンジオール、ジエチレングリコール、ジプロピレングリコール、ポリアルキレングリコール、ブタンジオール、及びこれらの組み合わせからなる群から選択される溶媒を含む、段落Ａ〜Ｏのいずれか１つに記載の濃縮界面活性剤組成物。
Ｑ．組成物が、本明細書に記載の剪断粘度試験方法によって決定して、１０００／ｓ−１及び６０℃で測定したとき、約３，０００ｃｐｓ未満、又は約１００〜約２，０００ｃｐｓ、又は約３００〜約１，５００ｃｐｓ、又は約４００〜約１，０００ｃｐｓの粘度を有する、段落Ａ〜Ｐのいずれか１つに記載の濃縮界面活性剤組成物。
Ｒ．組成物が、２０℃で２週間後及び／又は４０℃で２週間後、単一相の溶液のままである、段落Ａ〜Ｑのいずれか１つに記載の濃縮界面活性剤組成物。
Ｓ．組成物が、脂肪酸及び／又はその塩を実質的に含まず、好ましくはカルボン酸及び／又はその塩を実質的に含まない、段落Ａ〜Ｒのいずれか１つに記載の濃縮界面活性剤組成物。
Ｔ．組成物が、２０±２℃で、組成物の１０％（重量／体積）溶液にて、アルカリ性のｐＨ、好ましくは８より高いｐＨ、又は９より高いｐＨ、又は１０より高いｐＨ、又は１１より高いｐＨを特徴とする、段落Ａ〜Ｓのいずれか１つに記載の濃縮界面活性剤組成物。
Ｕ．組成物が、約２未満、又は約１．５未満、又は約１未満、又は約０．８未満の予備アルカリ度を有することを特徴とする、段落Ａ〜Ｔのいずれか１つに記載の濃縮界面活性剤組成物。
Ｖ．アニオン性アルキルアルコキシル化サルフェート界面活性剤が、苛性剤、好ましくは金属水酸化物、より好ましくは水酸化ナトリウムによって中和されている、段落Ａ〜Ｕのいずれか１つに記載の濃縮界面活性剤系。
Ｗ．界面活性剤系が、界面活性剤系の約１重量％〜約５０重量％のアニオン性スルホン化界面活性剤、好ましくはアルキルベンゼンスルホネート界面活性剤、より好ましくは直鎖状アルキルベンゼンスルホネート界面活性剤を更に含む、段落Ａ〜Ｖのいずれか１つに記載の濃縮界面活性剤組成物。
Ｘ．界面活性剤系が、界面活性剤系の約１０重量％〜約４０重量％、好ましくは約２０重量％〜約３５重量％のアニオン性スルホン化界面活性剤、好ましくはアルキルベンゼンスルホネート界面活性剤、より好ましくは直鎖状アルキルベンゼンスルホネート界面活性剤を含む、段落Ａ〜Ｗのいずれか１つに記載の濃縮界面活性剤組成物。
Ｙ．段落Ａ〜Ｘのいずれか１つに記載の濃縮界面活性剤組成物、及び洗剤補助剤、を含む、洗剤組成物。
Ｚ．洗剤補助剤が、更なる界面活性剤、構造化剤、ビルダー、布地柔軟剤、ポリマー又はオリゴマー、酵素、酵素安定剤、漂白系、増白剤、色調剤、キレート剤、抑泡剤、コンディショニング剤、保湿剤、香料、香料マイクロカプセル、充填剤又はキャリア、アルカリ性系、ｐＨ調整系、緩衝剤、アルカノールアミン、及びこれらの混合物からなる群から選択される、段落Ｙに記載の洗剤組成物。
ＡＡ．洗剤組成物が、液体、ゲル、顆粒、シート、繊維、又はこれらの組み合わせから選択される形態を有する、段落Ｙ又はＺに記載の洗剤組成物。
ＢＢ．濃縮界面活性剤組成物の製造プロセスであって、アニオン性アルキルアルコキシル化サルフェート界面活性剤、任意選択的にアニオン性スルホン化界面活性剤、アルコキシル化アミン、好ましくは、アルコキシル化ポリアミン、より好ましくは四級化又は非四級化アルコキシル化ポリエチレンイミンからなる群から選択されるレオロジー改質剤であって、当該アルコキシル化ポリアルキレンイミンが、ポリアルキレンイミンコアであってその中に少なくとも１つの窒素原子に結合した１つ以上のアルコキシ側鎖があるポリアルキレンイミンコア、エチレンオキサイド−プロピレンオキサイド−エチレンオキサイド（ＥＯｘ１ＰＯｙＥＯｘ２）トリブロックコポリマー［式中、ｘ１及びｘ２の各々は約２〜約１４０の範囲内であり、ｙは約１５〜約７０の範囲である。］、及びこれらの混合物を有する、レオロジー改質剤、及び水を準備するステップと；濃縮界面活性剤組成物を形成するために、成分を以下の割合にて、すなわち、界面活性剤系を形成するのに十分な量のアニオン性アルキルアルコキシル化サルフェート界面活性剤及び任意選択的にアニオン性スルホン化界面活性剤であって、界面活性剤系が組成物の約７０重量％〜約９０重量％の量で存在し、アニオン性アルキルアルコキシル化サルフェート界面活性剤が、界面活性剤系の約５０重量％〜約１００重量％の濃度で存在するもの；組成物の約０．１重量％〜約２５重量％のレオロジー改質剤；５％以下の非アミノ官能性有機溶媒、及び水、という割合にて組み合わせるステップと、を含む、製造プロセス。
ＣＣ．プロセスが、段落Ａ〜Ｘのいずれか１つに記載の濃縮界面活性剤組成物を準備するステップと、洗剤組成物を形成するために、濃縮界面活性剤組成物を洗剤補助剤と組み合わるステップと、を含む、洗剤組成物の製造プロセス。
ＤＤ．アルコキシル化ポリアルキレンイミン、好ましくはアルコキシル化ポリアルキレンイミンの、濃縮界面活性剤組成物の粘度を低下させるための使用であって、組成物が、組成物の約７０重量％〜約９０重量％の界面活性剤系を含み、界面活性剤系が、約５０重量％〜約１００重量％のアニオン性アルキルアルコキシル化サルフェート界面活性剤を含む、使用。
ＥＥ．当該レオロジー改質剤がポリエチレングリコールを更に含み、当該ポリエチレングリコールが約２０００〜約８０００ダルトンの重量平均分子量を有する、段落Ａ〜Ｘのいずれか１つに記載の濃縮界面活性剤組成物。
ＦＦ．エチレンオキサイド−プロピレンオキサイド−エチレンオキサイド（ＥＯｘ１ＰＯｙＥＯｘ２）トリブロックコポリマーが、２０〜７０、好ましくは３０〜６０、より好ましくは４５〜５５のプロピレンオキサイド単位の、平均プロピレンオキサイド鎖長を有する、段落Ａ〜Ｘのいずれか１つに記載の濃縮界面活性剤組成物。
ＧＧ．エチレンオキサイド−プロピレンオキサイド−エチレンオキサイド（ＥＯｘ１ＰＯｙＥＯｘ２）トリブロックコポリマーが、１０００〜１５，０００ダルトン、好ましくは約１５００〜５０００ダルトン、より好ましくは約２０００〜４５００ダルトン、更により好ましくは２５００〜４０００ダルトン、最も好ましくは３５００〜３８００ダルトンの重量平均分子量を有する、段落Ａ〜Ｘのいずれか１つに記載の濃縮界面活性剤組成物。
ＨＨ．エチレンオキサイド−プロピレンオキサイド−エチレンオキサイド（ＥＯｘ１ＰＯｙＥＯｘ２）トリブロックコポリマーのエチレンオキサイドブロック又は鎖が、各々独立して、２〜９０、好ましくは３〜５０、より好ましくは４〜２０のエチレンオキサイド単位の、平均鎖長を有する、段落Ａ〜Ｘのいずれか１つに記載の濃縮界面活性剤組成物。
ＩＩ．エチレンオキサイド−プロピレンオキサイド−エチレンオキサイド（ＥＯｘ１ＰＯｙＥＯｘ２）トリブロックコポリマーが、コポリマーの１０重量％〜９０重量％、好ましくは１５重量％〜５０重量％、より好ましくは１５重量％〜２５重量％の、組み合わされたエチレンオキサイドブロックを含む、段落Ａ〜Ｘのいずれか１つに記載の濃縮界面活性剤組成物。
ＪＪ．エチレンオキサイド−プロピレンオキサイド−エチレンオキサイド（ＥＯｘ１ＰＯｙＥＯｘ２）トリブロックコポリマーの総エチレンオキサイド含有量が、２つのエチレンオキサイドブロックにわたって等分されており、好ましくはエチレンオキサイドブロックが各々、エチレンオキサイド単位の総数の、平均して４０％〜６０％、より好ましくは４５％〜５５％、更により好ましくは４８％〜５２％、最も好ましくは５０％を構成し、両方のエチレンオキサイドブロックの％を足すと１００％になる、段落Ａ〜Ｘのいずれか１つに記載の濃縮界面活性剤組成物。
ＫＫ．エチレンオキサイド−プロピレンオキサイド−エチレンオキサイド（ＥＯｘ１ＰＯｙＥＯｘ２）トリブロックコポリマーが、３５００〜３８００ダルトンの重量平均分子量、４５〜５５のプロピレンオキサイド単位のプロピレンオキサイド含有量、及びエチレンオキサイドブロック１つ当たり４〜２０のエチレンオキサイド単位のエチレンオキサイド含有量を有する、段落Ａ〜Ｘのいずれか１つに記載の濃縮界面活性剤組成物。
【０１０７】
試験方法
剪断粘度試験方法
剪断粘度試験方法を使用し、剪断速度の関数として流体試料の剪断粘度を測定する。
【０１０８】
粘度試験を、直径４０ｍｍの平行プレート形状を装備したＴＡ  ｉｎｓｔｒｕｍｅｎｔｓ  Ｄｉｓｃｏｖｅｒｙ  ＨＲ−３レオメータで実施し、ペルチエプレートを使用する。機器は、この目的のためにＴＡ  ｉｎｓｔｒｕｍｅｎｔｓによって提供されているＴｒｉｏｓソフトウェアによって制御する。１．０ｍｍの公称間隙を使用する。試料を下部プレートの中心上に置き、次に上部プレートを下げ、材料と接触させる一方で、間隙を約１．０ｍｍに制御する。次いで、余分な材料をトリミングし、一貫した試料体積を確保する。温度を２５℃で１分間平衡化した後、試験を続ける。機器は、応力を増加させ、得られた粘度を段階的に測定するようにプログラムされている。ＴＡのソフトウェアによりこれにフロースイープを呼び出し、対数形式（１０進法の１ケタ当たり５点）にて５秒を使用し、低い０．１Ｐａから高い１０００Ｐａまでの応力の範囲にわたって、プロセスを実施する。この試験を２５℃で実施し、下部プレートとして使用するペルチエプレート温度制御ユニットによって制御する。モータのモードをＴｒｉｏｓソフトウェアにて自動に設定し、平衡化時間及び平均化時間を、それぞれ４５秒及び１５秒に設定した。
【０１０９】
この試験は、応力上限に達すると完了する。この時点で、機器を停止し、ユーザーは試料を取り出し、固定具を取り払う。次いで、データを粘度（Ｐａ−ｓ）対応力（Ｐａ）としてプロットする。結果を、１Ｐａで測定した粘度値として報告する。
【０１１０】
パーセント透過率
パーセント透過率を、Ｂｅｃｋｍａｎ  Ｃｏｕｌｔｅｒ  Ｄｕ（登録商標）８００などのＵＶ−可視分光計により測定する。標準の１０ｍｍ光路長キュベットを試料測定に使用し、脱イオン水のブランクと比較する。試料の測定は、染料及び／又は乳白剤の非存在下で、２０℃±２℃の温度で行う。
【０１１１】
ｐＨ
特に記載のない限り、組成物のｐＨは、２０±２℃における組成物の１０％（重量／体積）水溶液のｐＨとして定義される。ｐＨを±０．０１のｐＨ単位まで測定可能な任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な機器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、メーカーが推奨する電解質溶液中で保管する必要がある。
【０１１２】
洗剤の１０％水溶液を、以下の手順によって調製する。１０±０．０５グラムの試料を、±０．０２グラムまで正確に測定可能な天秤により秤量する。試料を、１００ｍＬのメスフラスコに移し、精製水（水の伝導率が＜５μＳ／ｃｍである限りにおいて、脱イオン水及び／又は蒸留水が好適である）により所定容量まで希釈し、十分に混合する。約５０ｍＬの得られた溶液をビーカーに注ぎ入れ、温度を２０±２℃に調整し、ｐＨをｐＨ計製造業者の標準手順によって測定する。製造業者の指示書は、ｐＨアセンブリを組み立てて較正するために守られなければならない。
【０１１３】
予備アルカリ度
本明細書で使用するとき、用語「予備アルカリ度」は、洗剤組成物の１％（重量／体積）溶液を塩酸によってｐＨ７．５まで、すなわち、本明細書で定義する予備アルカリ度を計算するために、滴定することによって決定される、洗剤組成物の緩衝能の尺度（ｇ／ＮａＯＨ／１００ｇの洗剤組成物）である。
予備アルカリ度（ｐＨ７．５まで）、ＮａＯＨのｇ（グラム）数／１００ｇの製品にての％アルカリ＝
Ｔ×Ｍ×４０×Ｖｏｌ
１０×Ｗｔ×アリコート
Ｔ＝ｐＨ７．５までの滴定量（ｍＬ）
Ｍ＝ＨＣｌのモル濃度＝０．２
４０＝ＮａＯＨの分子量
Ｖｏｌ＝総容量（すなわち、１０００ｍＬ）
Ｗｔ＝製品の重量（１０ｇ）
アリコート＝（１００ｍＬ）
【０１１４】
完全に配合した洗剤組成物の１０ｇの試料を取り分け、小数点第二位まで正確に量り取る。試料は、ダストキャビネット内でパスカルサンプラー（Pascall sampler）を使用して取り分ける必要がある。１０ｇの試料をプラスチック製ビーカーに添加し、２００ｍＬの二酸化炭素フリーの脱イオン水を添加する。撹拌用プレート上で磁気撹拌子を使用し１５０ｒｐｍにて撹拌することで、少なくとも１５分かけて完全に溶解させる。ビーカーの内容物を、１リットルのメスフラスコに移し、脱イオン水により１リットルにする。十分に混合し、１００ｍＬピペットを使用して、直ちに１００ｍＬ±１ｍＬのアリコートを採取する。試料のｐＨ及び温度を測定し、記録するには、±０．０１のｐＨ単位まで読み取り可能なｐＨ計を使用し、撹拌しながら、温度を２１℃±２℃として確保する。ｐＨの測定値が正確に７．５になるまで、撹拌しながら０．２Ｍ塩酸により滴定する。使用した塩酸のミリリットル数を記録する。同じく３回繰り返した平均滴定量を採用する。前述した計算を行い、ｐＨ７．５までのＲＡを計算する。
【実施例】
【０１１５】
下記の例は、事実上例示的なものであり、制限的であることを意図したものではない。成分濃度を、別途断らない限り、重量％により示す。
【０１１６】
実施例１．濃縮界面活性剤組成物の製造プロセス。
エトキシル化アルコールを準備する。サルフェート化反応器及び中和ループを含む公知のプロセスにより、エトキシル化アルコールをサルフェート化し、アルキルエトキシル化サルフェート界面活性剤を形成する。サルフェート化アルコールに加えて、以下のもの、すなわち、任意選択的に有機溶媒、エトキシル化ＰＥＩ、任意選択的に水、及び中和剤を、高剪断で混合しながら中和ループに添加する。中和プロセスは発熱性であるため、熱が発生し、好ましくは再循環中和ループにおいて熱交換器によって熱を除去する。熱交換器により、温度を、少なくとも５℃、又は少なくとも１０℃下げることができ、例えば約７０℃から約６０℃まで下げることができる。熱交換器の有効性は、界面活性剤ペーストの粘度に依存し、粘度が高すぎる場合、熱交換器にわたっての圧力低下は過剰になる恐れがある。水を添加することによって、粘度を低下させることができるが、添加した水は、固形投与形態の洗剤を製造するのに望ましくない。あるいは、中和ループにてエトキシル化ＰＥＩを添加することにより、粘度を低下させることができ、これにより、水分含有量を最小限に抑えたペーストの中和が可能になる。
【０１１７】
あるいは、又は更に、エトキシル化ＰＥＩを、中和ループの後で更なる高剪断混合ステップにより添加することができる。エトキシル化ＰＥＩを、濃縮水溶液、例えば、約８０％固形分の濃度の水溶液として、又は実質的に無水の液体ホットメルトとして、添加することができる。
【０１１８】
水をペースト組成物から更に除去するのは、中和ループ内又は中和ループ後のいずれかとし、例えば、湿式薄膜蒸発器を使用して行うことができる。
【０１１９】
実施例２．濃縮界面活性剤ペーストの粘度。
いくつかの濃縮界面活性剤ペースト組成物の粘度を測定する。ペーストの一部を使用し、本開示による粒子を製造することができ、一部を使用し、比較粒子を製造することができる。
【０１２０】
界面活性剤ペーストの製造。界面活性剤ペースト組成物を、以下のように製造する。選択されたレオロジー改質剤及び水をシンチレーションバイアルに添加して混合することで、レオロジー改質剤を完全に溶解させ、レオロジー改質剤溶液を形成する。レオロジー改質剤溶液を、エトキシル化アルキルサルフェート（ＡＥＳ）溶液（所望の濃度、例えば、２１．９５％まで水中に溶解したＡＥＳ）、及び炭酸ナトリウムと組み合わせ、高速ミキサのカップを使用して混合する。混合は、ＦｌａｋＴｅｋ  ＤＡＣ  ５００高速ミキサ内にて３５００ｒｐｍで３０秒間とし、次いで、混合物をガラス瓶に移して２４時間静置し、混合物を脱気する。
【０１２１】
以下の実施例では、６９．２ｇのＡＥＳ溶液（２１．９５％の活性）を、８．１ｇのＰＥＧ４０００溶液（３０％の活性、水中に溶解して３０％の活性としたＰＥＧ４０００）及び２．８ｇの炭酸ナトリウムに添加する。各々の材料の実際の重量分率を、右端の欄に挙げる。
【０１２２】
【表１】
0006882477.tif 000003
【０１２３】
各々のペーストの剪断粘度を、本明細書に記載の剪断粘度試験方法を使用して測定し、粘度を、低応力で得た値の平均として報告する。剪断粘度を以下の表に示す。アスタリスク（＊）でマークしたレオロジー改質剤により、粘度は低下することを示しているが、これらのレオロジー改質剤によっては、全体的に洗剤の機能性が得られない。
【０１２４】
【表２】
0006882477.tif 000004
１エトキシル化ポリエチレンイミン（ポリエチレンイミン（６００のＭＷ）、ＮＨ１つ当たり平均２０のエトキシレート）
２一級ヒドロキシル基末端の二官能性ブロックコポリマー
【０１２５】
【表３】
0006882477.tif 000005
３ポリソルベート２０
【０１２６】
実施例３．アニオン性界面活性剤及びレオロジー改質剤を含む、濃縮界面活性剤ペースト。
以下の表に、濃縮界面活性剤組成物の試料配合を示す。量を、組成物の重量による重量パーセントとして示す。成分は、次のものを含む：ＡＥＳ＝アルコキシル化アルキルサルフェートアニオン性洗剤用界面活性剤、ナトリウム中和；ＬＡＳ＝アルキルベンゼンスルホネート界面活性剤、ナトリウム中和；レオロジー改質剤＝ＰＥ２０、エトキシル化ポリエチレンイミン。Ｍｉｓｃは、過剰のアルカリ、塩、及び未反応のアルコールを含む。
【０１２７】
【表４】
0006882477.tif 000006
【０１２８】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【０１２９】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１３０】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。